(57)【要約】【課題】複数の無線機器間において通信の不通が生じた場合に迅速な通信路回復を図り、通信の信頼性を確保することのできる通信システム及び通信システムの回復方法を提供する。【解決手段】家電機器２に関する情報を定期的に送信する通信アダプタ１と、通信アダプタ１から送信された情報を収集しまとめて通信アダプタリストを作成するとともに、通信アダプタリストを定期的に通信アダプタ１の全てに対してブロードキャストにて送信するゲートウェイ装置３とを備える。【選択図】図３
2011029694.tif 000002
【特許請求の範囲】
【請求項１】
家電機器に関する情報を定期的に送信する通信アダプタと、
前記通信アダプタから送信された前記情報を収集しまとめて通信アダプタリストを作成するとともに、前記通信アダプタリストを定期的に前記通信アダプタの全てに対してブロードキャストにて送信するゲートウェイ装置と、
を備えることを特徴とする通信システム。
【請求項２】
前記通信アダプタは、
予め定められた時間を計測する計時手段と、
前記計時手段によって計測された時間が経過したか否かを検出し、経過したと判断した場合には通信障害が生じているとして前記通信アダプタを再起動させる判断手段と、
前記家電機器に関する情報を前記ゲートウェイ装置に対して送信するためにまとめる情報作成手段と、
を備えることを特徴とする請求項１に記載の通信システム。
【請求項３】
前記判断手段は、通信障害が生じていると判断した場合には、その旨を示すフラグを前記ゲートウェイ装置へ送信する情報の中に含めることを前記情報作成手段に対して指示することを特徴とする請求項１または請求項２に記載の通信システム。
【請求項４】
ゲートウェイ装置からの定期送信を通信アダプタが受信し、計時手段における計時を開始するステップと、
前記通信アダプタが家電機器に関する情報を前記ゲートウェイ装置への送信データとして作成するステップと、
作成された前記送信データを前記ゲートウェイ装置へと送信するステップと、
各前記通信アダプタから送信されてきた前記送信データを受信し、前記送信データを基に通信アダプタリストを作成するステップと、
作成された前記通信アダプタリストを前記通信アダプタの全てに対して定期的にブロードキャストにて送信するステップと、
前記計時手段における計時を確認し、設定時間を超えて前記通信アダプタリストを受信しない場合にはタイムアウトとし、前記通信アダプタをリセットするステップと、
通信障害を示すフラグを含めて、前記通信アダプタが家電機器に関する情報を前記ゲートウェイ装置へのフラグ付き送信データとして作成するステップと、
作成された前記フラグ付き送信データを前記ゲートウェイ装置へと送信するステップと、
前記フラグ付き送信データを受信し前記フラグを記憶装置内に格納するとともに、前記送信データを基に通信アダプタリストを作成するステップと、
前記ゲートウェイ装置から送信された前記通信アダプタリストを受信した前記通信アダプタが、前記通信アダプタリスト内に自己の送信データが存在するか否かを確認するステップと、
を備えることを特徴とする通信システムの回復方法。
【発明の詳細な説明】
【技術分野】
【０００１】
本発明は、通信システム及び通信システムの回復方法に関する。
【背景技術】
【０００２】
従来、無線機器の通信に関しては、環境による通信路の遮断や無線機器の故障といった通信が不通となる事態が生じた場合、通信を行う機器同士で通信路の不通を確認し復旧させている。但し、ここでの確認や復旧は通信路ごと、すなわち、１つの機器対１つの機器（１対１）の関係において行われるに過ぎない。従って、通信路が複数設けられ、通信を行う機器の数が増えると個々に確認を取らざるを得ないため確認に時間が掛かることになり、それだけ復旧にも時間が掛かることになる。
【０００３】
そこで、特許文献１に記載された発明では、複数の通信路が設けられる複数の無線局の間での情報のやりとりについて以下の通り開示されている。
【０００４】
すなわち、親局と複数の子局からなる無線同報通信システムにおいて、グループ分けされた複数の子局の中で親局と通信する代表子局が定められており、この代表子局がグループ内の他の複数の子局からの受信状態に関する情報を受信しまとめて親局に送信し、親局からの通信はこの代表子局のみが受信する、とされる。このように複数存在する子局をそれぞれまとめ、その中の１つを代表とする構成を採用すれば、親局は代表子局を通して全ての子局の受信状況を把握することができ、同報通信の信頼性向上を図ることができる。併せて、結果として親局との通信相手となる子局を減らすことができることになるため、たとえ通信が不通となる事態が生じても迅速な復旧を図ることができる。
【先行技術文献】
【特許文献】
【０００５】
【特許文献１】特開平４−１３３１８号公報
【発明の概要】
【発明が解決しようとする課題】
【０００６】
しかしながら、上記特許文献１に開示されている無線同報通信システムでは、以下の点に配慮されていない。
【０００７】
親局からの通信を受信する子局をまとめてその中の１つを代表子局とするとしても、結局親局と複数存在する代表子局との間はそれぞれが上述した１対１の関係に止まる。従って、通信が不通となった事態が生じると、親局が複数存在する代表子局との間に設けられているそれぞれの通信路を個別に確認していかなければならない。それでは通信路の復旧にどうしても一定の時間が掛かってしまう。これでは、通信の信頼性も維持することができない。
【０００８】
本発明は上記課題を解決するためになされたものであり、本発明の目的は、複数の無線機器間において通信の不通が生じた場合に迅速な通信路回復を図り、通信の信頼性を確保することのできる通信システム及び通信システムの回復方法を提供することである。
【課題を解決するための手段】
【０００９】
本発明の実施の形態に係る第１の特徴は、通信システムにおいて、家電機器に関する情報を定期的に送信する通信アダプタと、通信アダプタから送信された情報を収集しまとめて通信アダプタリストを作成するとともに、通信アダプタリストを定期的に通信アダプタの全てに対してブロードキャストにて送信するゲートウェイ装置とを備える。
【００１０】
本発明の実施の形態に係る第２の特徴は、通信システムの回復方法において、ゲートウェイ装置からの定期送信を通信アダプタが受信し、計時手段における計時を開始するステップと、通信アダプタが家電機器に関する情報をゲートウェイ装置への送信データとして作成するステップと、作成された送信データをゲートウェイ装置へと送信するステップと、各通信アダプタから送信されてきた記送信データを受信し、送信データを基に通信アダプタリストを作成するステップと、作成された通信アダプタリストを通信アダプタの全てに対して定期的にブロードキャストにて送信するステップと、計時手段における計時を確認し、設定時間を超えて通信アダプタリストを受信しない場合にはタイムアウトとし、通信アダプタをリセットするステップと、通信障害を示すフラグを含めて、通信アダプタが家電機器に関する情報をゲートウェイ装置へのフラグ付き送信データとして作成するステップと、作成されたフラグ付き送信データをゲートウェイ装置へと送信するステップと、フラグ付き送信データを受信しフラグを記憶装置内に格納するとともに、送信データを基に通信アダプタリストを作成するステップと、ゲートウェイ装置から送信された通信アダプタリストを受信した通信アダプタが、通信アダプタリスト内に自己の送信データが存在するか否かを確認するステップとを備える。
【発明の効果】
【００１１】
本発明によれば、複数の無線機器間において通信の不通が生じた場合に迅速な通信路回復を図り、通信の信頼性を確保することのできる通信システム及び通信システムの回復方法を提供することができる。
【図面の簡単な説明】
【００１２】
【図１】本発明の実施の形態に係る通信システムを示す全体図である。
【図２】本発明の実施の形態に係る通信アダプタの内部構成を示すブロック図である。
【図３】本発明の実施の形態に係る通信システムにおける通信の流れ及び通信障害が発生した場合の回復の流れを示すフローチャートである。
【図４】本発明の実施の形態に係る通信アダプタが送信する通信アダプタ構成情報の構造を示す模式図である。
【図５】本発明の実施の形態に係るゲートウェイ装置が通信アダプタへ送信する通信アダプタリストの構造を示す模式図である。
【発明を実施するための形態】
【００１３】
以下、本発明の実施の形態について図面を参照して詳細に説明する。
【００１４】
図１に示すように、本発明の実施の形態における通信システムＳは、通信アダプタ１を備える家電機器２と、通信アダプタ１から送信された情報を受信するゲートウェイ装置３とを備える。ゲートウェイ装置３にはアクセスポイント４が接続されており、通信アダプタ１から無線で送信された情報はこのアクセスポイント４を介してゲートウェイ装置３へと送信される。
【００１５】
通信アダプタ１は、外部機器との通信を可能にする通信装置であり、家電機器２に関する情報をゲートウェイ装置３へ送信する。ここで家電機器２は、例えば冷蔵庫、エアコン、ランドリー、照明装置、或いはテレビといった家庭内、或いはその外部に設置される機器の総称である。また、家電機器２に関する情報とは、例えば、固有の情報や電源のＯＮ、ＯＦＦ、運転開始、終了等の運転履歴情報といった情報を示している。また、「固有の情報」には、例えば、家電機器２の種別（エアコンや冷蔵庫といった種別）、型番、家電機器２の設置場所に関する情報が含まれる。
【００１６】
なお、図１に示される通信システムＳにおいては、通信アダプタ１と家電機器２とが一体、すなわち通信アダプタ１が家電機器２に備えられているように示されているが、必ずしもこのような形態である必要はない。
【００１７】
また、本発明の実施の形態における通信システムＳでは、通信アダプタ１と家電機器２との組が３組（１Ａ，２Ａ、１Ｂ，２Ｂ、１Ｃ，２Ｃ）表わされているが、ゲートウェイ装置３へ情報を送信する通信アダプタ１（家電機器２）の数は複数であればいくつ設置されていても良い。なお、以下においてはこれら３組の通信アダプタ１と家電機器２をそれぞれまとめて適宜「通信アダプタ１」と「家電機器２」と表わす。
【００１８】
通信アダプタ１から家電機器２に関する情報をゲートウェイ装置３へ送信する際には、無線が使用される。アクセスポイント４では無線で送られてきたこれら各家電機器２に関する情報を回線で接続されているゲートウェイ装置３へと送信する。
【００１９】
ゲートウェイ装置３は、複数の通信アダプタ１からアクセスポイント４を介して送信された家電機器２に関する情報をとりまとめる。このとりまとめられた情報は、ここでは説明を省略するが、例えば、各家電機器２の運転状況や消費電力の把握をするために用いられることがあっても良い。いずれにしろ、ゲートウェイ装置３は、通信システムＳにおける通信終端機器である。
【００２０】
図２は、通信アダプタ１の内部構成を示すブロック図である。通信アダプタ１は、受信手段１ａと、判断手段１ｂと、計時手段１ｃと、情報作成手段１ｄと、送信手段１ｅとから構成される。受信手段１ａは、ゲートウェイ装置３から送信されてきた情報を受信し、送信手段１ｅは、通信アダプタ１において作成された情報（後述）をゲートウェイ装置３へ送信する。
【００２１】
以下、図３に示すフローチャートを使用して、本発明の実施の形態における通信システムＳにおける通信の流れ及び通信障害が発生した場合の回復の流れを説明する。また、通信アダプタ１の各手段の働きについても流れを説明する中で併せて説明する。
【００２２】
まずゲートウェイ装置３からアクセスポイント４を介して各通信アダプタ１へと送信がなされる（ＳＴ１）。このゲートウェイ装置３から各通信アダプタ１への送信はそれぞれの通信アダプタ１がゲートウェイ装置３へ情報を送信するするきっかけとなるもの（以下、適宜「起動情報」と表わす）である。本発明の実施の形態における通信システムＳにおいては、ゲートウェイ装置３から各通信アダプタ１へそれぞれ個別に送信が行われるわけではなく、ブロードキャスト送信の方式を採用する。従って、複数存在する通信アダプタ１へゲートウェイ装置３から一斉に送信が行われることになる。なお、図３に示すフローチャートでは説明の便宜上、通信アダプタ１は２つ（通信アダプタ１Ａ及び１Ｂ）のみが示されている。
【００２３】
ゲートウェイ装置３からの起動情報を受信した通信アダプタ１は、その情報が受信手段１ａを介して判断手段１ｂへと送られる。判断手段１ｂはさらに計時手段１ｃへと起動情報を受信した旨を伝え、計時手段１ｃは計時を開始する（タイマ起動）（ＳＴ２）。この計時は、後述する通信アダプタ１からゲートウェイ装置３への情報送信後、再度ゲートウェイ装置３から通信アダプタ１へ所定時間内に送信なされるか否かを判断するために行われるものである。計時手段１ｃが計時する時間内にゲートウェイ装置３から情報（通信アダプタリスト）が戻ってくれば通信路は正常に確保されていると判断することができる。一方、戻ってこない場合には、通信アダプタ１とゲートウェイ装置３との間の通信路が不通であると判断することができる。
【００２４】
判断手段１ｂは、同時に情報作成手段１ｄに対して送信データの作成を指示する（ＳＴ３）。ここでの送信データには、例えば、通信アダプタ１が備えられている家電機器２に関する情報が含まれる。図４は、作成される「送信データ」をより具体的に示したものである。図４に示す「通信アダプタ構成情報」（以下、「送信データ」を「通信アダプタ構成情報」と表わす。但し、図３においては「送信データ」と表わしている。）には、「通信フラグ」、「ＭＡＣアドレス」、「ＩＰアドレス」、「接続機器情報（家電機器２の情報）」が含まれる。但し、これら個々に示した「通信アダプタ構成情報」に含まれる内容はあくまでも一例に過ぎず、どのような情報を含ましめることとしても良い。
【００２５】
「通信アダプタ構成情報」が作成されると（ＳＴ３）、その通信アダプタ構成情報は、各通信アダプタ１からゲートウェイ装置３へと送信される（ＳＴ４）。各通信アダプタ１からゲートウェイ装置３への送信に際してもブロードキャスト送信の方式が採用される。但し、ゲートウェイ装置３への送信は、通信アダプタ１ごとに行われるため、送信される時刻は必ずしも全ての通信アダプタ１において揃うとは限らない。
【００２６】
各通信アダプタ１から送信された「通信アダプタ構成情報」は、ゲートウェイ装置３において受信される。ゲートウェイ装置３では、これら受信した各通信アダプタ１からの通信アダプタ構成情報を基に「通信アダプタ１リスト」を作成する（ＳＴ５）。ゲートウェイ装置３は、最初に「通信アダプタ構成情報」を受信してから所定の時間内に受信した「通信アダプタ構成情報」をまとめる。なお、この所定の時間は、任意に設定することができる。
【００２７】
作成された「通信アダプタリスト」は、例えば、図５に示すような内容となっている。すなわち、上述したように、「通信アダプタリスト」には、各通信アダプタから送信された「通信アダプタ構成情報」が含まれる。但し、ゲートウェイ装置３が「通信アダプタリスト」を作成する時点で受信できなかった通信アダプタ１からの「通信アダプタ構成情報」に関しては、この「通信アダプタリスト」内には含まれない。
【００２８】
なお、含めることのできなかった「通信アダプタ構成情報」に関しては、例えば、ゲートウェイ装置３内の記憶手段に記憶させておき、次回通信アダプタリストを作成する際に反映させることができる。或いは、通信アダプタリスト内に含まれなかった通信アダプタ構成情報については一旦消去し、改めて通信アダプタ１から送信されてくることを待って通信アダプタリストに反映させることとすることも可能である。
【００２９】
ゲートウェイ装置３において作成された「通信アダプタリスト」は、ブロードキャスト送信方式によって各通信アダプタ１へ送信される（ＳＴ６）。このゲートウェイ装置３から各通信アダプタ１への「通信アダプタリスト」の送信は、定期的に行われる。これは、ゲートウェイ装置３と各通信アダプタ１との間における通信路が確保されているか否かを適宜確認するためである。従って、ゲートウェイ装置３から各通信アダプタ１への送信ばかりではなく、通信アダプタリストの作成も定期的に行われる。なお、ゲートウェイ装置３がどのタイミングで各通信アダプタ１へ送信するか、すなわち、定期送信の間隔については、任意に設定することが可能である。
【００３０】
ゲートウェイ装置３と通信路が確保されている通信アダプタ１との間では、適切に通信アダプタリストが送信される。通信アダプタ１は、ブロードキャスト送信された通信アダプタリストの中から自己の通信アダプタ構成情報を取得し、確認する（ＳＴ７）。判断手段１ｂは、情報作成手段１ｄからゲートウェイ装置３へ送信するために作成した通信アダプタ構成情報を入手し、ゲートウェイ装置３から送信された通信アダプタリスト内の通信アダプタ構成情報と比較する。これによって、自己の通信アダプタ１からゲートウェイ装置３へ送信された通信アダプタ構成情報が、ゲートウェイ装置３から送信されてきた情報と一致するか否かが確認できる。両通信アダプタ構成情報が一致すれば、通信アダプタ１とゲートウェイ装置３との間の通信路が確保され、正常に情報のやりとりが行われていることを確認することができる。
【００３１】
各通信アダプタ１とゲートウェイ装置３との間に通信路が確保されていれば、通信アダプタ１の計時手段１ｃにおいて計時している時間内にゲートウェイ装置３から通信アダプタリストが各通信アダプタ１へと送信される。従って、判断手段１ｂが通信アダプタ構成情報を確認できた、ということは、上述したステップ２において起動された計時手段１ｃによる計時時間内に各通信アダプタ１が通信アダプタリストを受信していることになる。そこで、判断手段１ｂは、通信アダプタ構成情報の確認を行うとともに、計時手段１ｃに対して計時をリセット（タイマリセット）を行うように指示する（ＳＴ８）。その上で、改めて計時手段１ｃに対して計時を開始するよう指示を出す（ＳＴ９）。
【００３２】
ここでの計時は、各通信アダプタ１からゲートウェイ装置３へ定期的に通信アダプタ構成情報を送信するタイミング（間隔）を計るためのものである。ここでタイマが起動することによって、各通信アダプタ１は定期的にゲートウェイ装置３へ通信アダプタ構成情報を送信することが可能となる。
【００３３】
判断手段１ｂが自己の通信アダプタ構成情報を確認した後計時手段１ｃが計時を開始し（ＳＴ７ないしＳＴ９）、所定の時間が経過する際に判断手段１ｂは計時手段１ｃを確認する（ＳＴ１０）。所定の時間が経過すると、改めて計時手段１ｃに対して計時を開始するように指示を出す（ＳＴ１１）。その上で、判断手段１ｂは、その通信アダプタ１Ａ（家電機器２Ａ）に関する通信アダプタ構成情報を作成するよう情報作成手段１ｄに対して指示する。指示された情報作成手段１ｄは、通信アダプタ構成情報を作成し（ＳＴ１２）、送信手段１ｅを介してゲートウェイ装置３へ送信する（ＳＴ１３）。この流れを各通信アダプタ１とゲートウェイ装置３との間で行うことによって、定期的に両者の通信路が適切に確保されているか否かが自動的に確認できる。
【００３４】
なお、各通信アダプタ１がゲートウェイ装置３へ通信アダプタ構成情報を送信する間隔とゲートウェイ装置３が各通信アダプタ１に通信アダプタリストを送信する間隔とは、それぞれ任意に設定することができる。
【００３５】
図３に示すフローチャートにおいては、通信アダプタ１Ａとゲートウェイ装置３との間における通信路は確保されている。これら両者の間における情報のやりとりについては、上述した通りである。一方、通信アダプタ１とゲートウェイ装置３との間において通信路が確保されていない、すなわち、両者間が不通である場合については、通信アダプタ１Ｂとゲートウェイ装置３とを使って説明する。
【００３６】
ゲートウェイ装置３が通信アダプタリストを作成し（ＳＴ５）、各通信アダプタ１へ定期送信を行った際（ＳＴ６）、ゲートウェイ装置３との間で通信路が確保されていない（不通である）通信アダプタ１Ｂにおいては、ゲートウェイ装置３が送信した通信アダプタリストを受信することができない。図３におけるフローチャートにおいては、ゲートウェイ装置３と通信アダプタ１Ｂとの間の通信が不通であるため、ゲートウェイ装置３から通信アダプタ１Ｂに向けた矢印は描かれていない。
【００３７】
上述したように、通信アダプタ１がゲートウェイ装置３から送信される通信アダプタリストは、予め定められた時間内に通信アダプタ１において受信可能とされている。従って、通信路が適切に確保されていない（不通の状態）と、ゲートウェイ装置３から通信アダプタ１Ｂに通信アダプタリストが届く前に計時手段１ｃが計時している予め定められた時間は経過してしまう。この時間は、通信アダプタ１Ｂがゲートウェイ装置３へ通信アダプタ構成情報を送信する際に起動して計時されていたものである（ＳＴ２参照）。
【００３８】
そこで、判断手段１ｂは、計時手段１ｃに対してタイマの確認を行い（ＳＴ１４）、所定の時間が経過したことを確認してタイムアウトと判断する（ＳＴ１５）。タイムアウトということは、予め定められた時間内にゲートウェイ装置３から送信された通信アダプタリストを通信アダプタ１Ｂが受信できておらず、ゲートウェイ装置３と通信アダプタ１Ｂとの間の通信路が不通になっていることを表わしている。
【００３９】
そこで、判断手段１ｂは、一旦通信アダプタ１Ｂをリセットして再起動させる（ＳＴ１６）。リセットした後、改めて判断手段１ｂは情報作成手段１ｄに対して通信アダプタ構成情報を作成するよう指示し、この指示に基づいて情報作成手段１ｄは通信アダプタ構成情報を作成する（ＳＴ１７）。但し、作成される通信アダプタ構成情報には、通信路が不通であり通信アダプタ１Ｂのリセットを行ったことを示すフラグが含まれる。作成されたフラグを含む通信アダプタ構成情報は、ゲートウェイ装置３へ送信される（ＳＴ１８）。
【００４０】
ゲートウェイ装置３は、通信アダプタ１Ｂから送信された通信アダプタ構成情報を取得する。ゲートウェイ装置３は、取得した通信アダプタ構成情報を基に通信アダプタリストを作成するとともに、通信アダプタ構成情報に含まれる通信路不通による通信アダプタ１Ｂのリセットを示す情報を記憶手段に記憶する（フラグを格納する）（ＳＴ１９）。この記憶されたリセットを示す情報は、例えば、通信アダプタ１Ｂ、或いは通信アダプタ１Ｂを含む家電機器２Ｂが故障した際の修理情報として利用される。
【００４１】
作成された通信アダプタリストは、ゲートウェイ装置３から定期送信として各通信アダプに対してブロードキャスト送信で送信される（ＳＴ２０）。
【００４２】
通信路が確保されると、通信アダプタ１Ｂにおいてゲートウェイ装置３から送信された通信アダプタリストを受信することができる。通信アダプタリストを受信すると、判断手段１ｂがフラグを含んでゲートウェイ装置３へ送信した通信アダプタ構成情報との間で内容が同一であるか否かの判断を行う（ＳＴ２１）。受信した通信アダプタリスト内の通信アダプタ構成情報が自己の情報であると確認した場合は、判断手段１ｂは立てたフラグをＯＦＦにし（ＳＴ２２）、改めて計時手段１ｃに対してタイマを起動させるよう指示する（ＳＴ２３）。
【００４３】
また、計時手段１ｃに計時を開始させるとともに、情報作成手段１ｄに対して再度通信アダプタ構成情報を作成するよう指示する（ＳＴ２４）。ここで作成される通信アダプタ構成情報には、ステップ１３において説明したような通信路が不通であることを表わすフラグは含まれない。その上で、作成した通信アダプタ構成情報をゲートウェイ装置３へ送信する（ＳＴ２５）。
【００４４】
ゲートウェイ装置３は、通信アダプタ１Ｂから送信された通信アダプタ構成情報を取得し、通信アダプタリストを作成する（ＳＴ２６）。作成された通信アダプタリストは、ブロードキャスト送信により各通信アダプタ１へ送信される（ＳＴ２７）。
【００４５】
通信アダプタ１Ｂは、送信された通信アダプタリスト内の自己の通信アダプタ構成情報を取得し、判断手段１ｂが確認する（ＳＴ２８）。通信アダプタ１Ｂが自己の通信アダプタ構成情報を取得することによって、通信アダプタ１Ｂとゲートウェイ装置３との間における通信路は確保されていることが明らかとなる。通信アダプタ１Ｂにおいては、判断手段１ｂが計時手段１ｃに対して一旦タイマをリセットするように指示を出すとともに、改めてタイマを起動させる（ＳＴ２９、ＳＴ３０）。この後は、正常に通信路が確保されている場合と同様に通信アダプタ１Ｂにおいて設定されている所定の時間ごとに通信アダプタ構成情報がゲートウェイ装置３へ送信される（ＳＴ１０ないしＳＴ１３参照）。
【００４６】
このような構成を採用し、各通信アダプタとゲートウェイ装置との間で通信アダプタ構成情報と通信アダプタリスト内の自己の通信アダプタ構成情報との間で内容の確認を行うことによって、各通信アダプタとゲートウェイ装置との間における通信路が適切に確保されているか否かを迅速に判断することができるとともに、複数の無線機器間において通信の不通が生じた場合に、通信アダプタが自らリセットを行い再度通信路の確保を行うため迅速な通信路回復を図ることで、通信の信頼性を確保することのできる通信システム及び通信システムの回復方法を提供することができる。
【００４７】
なお、この発明は、上述実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよく、異なる実施の形態に亘る構成要素を適宜組み合わせてもよい。
【符号の説明】
【００４８】
１  …通信アダプタ
１ａ…受信手段
１ｂ…判断手段
１ｃ…計時手段
１ｄ…情報作成手段
１ｅ…送信手段
２  …家電機器
３  …ゲートウェイ装置
４  …アクセスポイント
Ｓ  …通信システム
【図１】
2011029694.tif 000003
【図２】
2011029694.tif 000004
【図３】
2011029694.tif 000005
【図４】
2011029694.tif 000006
【図５】
2011029694.tif 000007